(57)【要約】【課題】遊技機の側方の遠い位置や遊技島の外に居る遊技者に十分な遊技の興趣のアピールを行えるようにする。【解決手段】電球型発光ダイオードランプ５０２は、遊技機の受皿ユニット９の内部に設けられ、照明光を発光する光源になっている。リフレクタ５０３及びレンズ５０５は、前記受皿ユニット９の側面に設けられ、当該受皿ユニット９の側方に光軸を向けた状態で電球型発光ダイオードランプ５０２からの照明光を集め当該受皿ユニット９の外部に照射する。これにより遊技機の左側方に居る遊技者から遊技機の発する照明光を視認しやすくなり、遊技機の左側方に居る遊技者に十分な遊技の興趣のアピールを行え、遊技機の稼働率を向上することができる。【選択図】図１４
2011115211.tif 000002
【特許請求の範囲】
【請求項１】
枠状に形成された固定枠と、
板状に形成された板状部を有し、当該板状部の一方の板面側に遊技球が移動する遊技領域を有する遊技盤と、
枠状に形成され、前記固定枠に対して開閉可能に支持され、枠形状の内側に前記遊技盤が着脱可能な遊技盤取付枠と、
前記遊技盤取付枠の前面側に開閉可能な状態で支持され、前記遊技盤取付枠に取り付けられた前記遊技盤を視認可能にする遊技盤視認用透明窓が設けられた前扉体と、
前記前扉体の前記遊技盤視認用透明窓より下側に設けられ、上側が開放した凹形状の遊技球供給皿が上部に形成された受皿ユニットと、
前記受皿ユニットの内部に設けられ、照明光を発光する光源と、
前記受皿ユニットの側面に設けられ、当該受皿ユニットの側方に光軸を向けた状態で前記光源からの照明光を集め当該受皿ユニットの外部に照射する照明光学系と、
を備えることを特徴とする遊技機。
【請求項２】
前記前扉体は、前記遊技盤視認用透明窓より外側の位置に透明性を有する透明収納部が形成され、当該透明収納部に立体形状の演出役物を挿脱可能な状態で収納することを特徴とする請求項１に記載の遊技機。
【請求項３】
前記演出役物は、前記遊技盤の前記遊技領域より上側に取付けられ、前記透明収納部は、前記遊技盤視認用透明窓より上側の位置に形成されていることを特徴とする請求項２に記載の遊技機。
【請求項４】
前記遊技盤視認用透明窓及び前記透明収納部は、透明の素材により一体成形されていることを特徴とする請求項２または３に記載の遊技機。
【発明の詳細な説明】
【技術分野】
【０００１】
本発明は、遊技盤が着脱可能な遊技盤取付枠の前面側に前扉体が開閉可能な状態で支持される遊技機に関する。
【背景技術】
【０００２】
従来のパチンコ遊技機は、通常、木枠の前面側に、前枠と呼ばれ遊技盤を取り付けるための遊技盤取付枠がヒンジを介して開閉可能に取り付けられ、その遊技盤取付枠の前面側に、前記遊技盤を視認可能にする遊技盤視認用透明窓が設けられた前扉体がヒンジを介して開閉可能に取り付けられている。
【０００３】
近年、パチンコ遊技機においては、前面に複数の発光ランプを配設し、該各発光ランプを発光させることで、遊技の興趣を盛り上げるようにしている（例えば、特許文献１参照。）。
【先行技術文献】
【特許文献】
【０００４】
【特許文献１】特開２００８−２６４０２７号公報（段落００１３、段落００１５、図１、図４）
【発明の概要】
【発明が解決しようとする課題】
【０００５】
上述のように従来のパチンコ遊技機に用いられる発光ランプは、当該パチンコ遊技機の前方や比較的近距離の側方に居る遊技者に対して遊技の興趣を盛り上げられるが、パチンコ遊技機の前面に設けられた透明部の内側において、当該透明部の内側面から後方に比較的大きく離れた位置に設けられているので、パチンコ遊技機の側方の遠い位置や遊技機が複数並べられた遊技島の外に居る遊技者には、発光ランプからの光を視認しにくく、十分な遊技の興趣のアピールを行えなかった。
【０００６】
本発明は、上記の問題に鑑み、遊技機の側方の遠い位置や遊技島の外に居る遊技者に十分な遊技の興趣のアピールを行える遊技機を提供することを目的とする。
【課題を解決するための手段】
【０００７】
請求項１に記載の発明の遊技機は、枠状に形成された固定枠と、板状に形成された板状部を有し、当該板状部の一方の板面側に遊技球が移動する遊技領域を有する遊技盤と、 枠状に形成され、前記固定枠に対して開閉可能に支持され、枠形状の内側に前記遊技盤が着脱可能な遊技盤取付枠と、前記遊技盤取付枠の前面側に開閉可能な状態で支持され、前記遊技盤取付枠に取り付けられた前記遊技盤を視認可能にする遊技盤視認用透明窓が設けられた前扉体と、前記前扉体の前記遊技盤視認用透明窓より下側に設けられ、上側が開放した凹形状の遊技球供給皿が上部に形成された受皿ユニットと、前記受皿ユニットの内部に設けられ、照明光を発光する光源と、前記受皿ユニットの側面に設けられ、当該受皿ユニットの側方に光軸を向けた状態で前記光源からの照明光を集め当該受皿ユニットの外部に照射する照明光学系と、を備えることを特徴とする。
【０００８】
前記前扉体は、前記遊技盤視認用透明窓より外側の位置に透明性を有する透明収納部が形成され、当該透明収納部に立体形状の演出役物を挿脱可能な状態で収納することを特徴とする（請求項２）。
【０００９】
前記演出役物は、前記遊技盤の前記遊技領域より上側に取付けられ、前記透明収納部は、前記遊技盤視認用透明窓より上側の位置に形成されていることを特徴とする（請求項３）。
【００１０】
前記遊技盤視認用透明窓及び前記透明収納部は、透明の素材により一体成形されていることを特徴とする（請求項４）。
【００１１】
従来のパチンコ遊技機に用いられる発光ランプは、遊技機の側方の遠い位置や遊技島の外に居る遊技者から遊技機の発する照明光を視認しにくく、十分な遊技の興趣のアピールを行えなかった。
【００１２】
これに対し、本発明では、前記受皿ユニットの側面に設けられた照明光学系が、当該受皿ユニットの側方に光軸を向けた状態で前記光源からの照明光を集め当該受皿ユニットの外部に照射するので、遊技機の側方の遠い位置や遊技島の外に居る遊技者から遊技機の発する照明光を視認しやすくなり、遊技機の側方の遠い位置や遊技島の外に居る遊技者に十分な遊技の興趣のアピールを行える。
また本発明では、前記前扉体の前記透明収納部に立体形状の演出役物を装飾部として挿脱可能な状態で挿入する構成にすることで、遊技盤の交換の際に遊技盤視認用透明部の周囲を装飾する装飾部を遊技盤の機種に個別に対応して新しくすることが可能な構造を採用するとともに、装飾部の立体感を高め、装飾部に可動部や発光部等の演出装置を組み込むのを容易にして、遊技者に新台入替の目新しさを強く感じさせることができる。ここで、前記演出役物に発光部に加えて複雑な形状の飾りや可動部を設けた場合、当該演出役物の発光部は比較的小型で低輝度なものを使用することになり、当該演出役物による遊技機から離れた遊技者へのアピール性が低くなるが、当該演出役物によるアピール性の不足は前記受皿ユニットの前記光源と前記照明光学系による照明光により十分補うことができる。
【発明の効果】
【００１３】
本発明によれば、前記受皿ユニットの側面に設けられた照明光学系が、当該受皿ユニットの側方に光軸を向けた状態で前記光源からの照明光を集め当該受皿ユニットの外部に照射するので、遊技機の側方の遠い位置や遊技島の外に居る遊技者から遊技機の発する照明光を視認しやすくなり、遊技機の側方の遠い位置や遊技島の外に居る遊技者に十分な遊技の興趣のアピールを行え、遊技機の稼働率を向上することができる。また本発明では、前記前扉体の前記透明収納部に立体形状の演出役物を装飾部として挿脱可能な状態で挿入する構成にすることで、遊技盤の交換の際に遊技盤視認用透明部の周囲を装飾する装飾部を遊技盤の機種に個別に対応して新しくすることが可能な構造を採用するとともに、装飾部の立体感を高め、装飾部に可動部や発光部等の演出装置を組み込むのを容易にして、遊技者に新台入替の目新しさを強く感じさせることができる。ここで、前記演出役物に発光部に加えて複雑な形状の飾りや可動部を設けた場合、当該演出役物の発光部は比較的小型で低輝度なものを使用することになり、当該演出役物による遊技機から離れた遊技者へのアピール性が低くなるが、当該演出役物によるアピール性の不足は前記受皿ユニットの前記光源と前記照明光学系による照明光により十分補うことができる。
【図面の簡単な説明】
【００１４】
【図１】本発明に係る第１の実施形態の左斜め前方から見た遊技機を示す斜視図である。
【図２】本発明に係る第１の実施形態の遊技機を示す斜視図である。
【図３】本発明に係る第１の実施形態の遊技機の分解斜視図である。
【図４】本発明に係る第１の実施形態の遊技機及び遊技球貸出装置の正面図である。
【図５】本発明に係る第１の実施形態の遊技機の背面図である。
【図６】本発明に係る第１の実施形態の遊技機の左斜め後方から見た斜視図である。
【図７】本発明に係る第１の実施形態の遊技機の右側方から見た断面の概略を示す説明図である。
【図８】本発明に係る第１の実施形態の遊技機及びこれと接続する機材の回路構成を示すブロック図である。
【図９】本発明に係る第１の実施形態の固定枠の分解斜視図である。
【図１０】本発明に係る第１の実施形態の遊技盤取付枠の斜視図である。
【図１１】本発明に係る第１の実施形態の遊技盤の斜視図である。
【図１２】本発明に係る第１の実施形態の前扉体の右斜め前方から見た斜視図である。
【図１３】本発明に係る第１の実施形態の前扉セットの右斜め後方から見た斜視図である。
【図１４】本発明に係る第１の実施形態の受皿ユニットに設けられた演出照明部の分解斜視図である。
【図１５】本発明に係る第１の実施形態の受皿ユニットに設けられた演出照明部の断面図である。
【図１６】本発明に係る第１の実施形態の固定枠と遊技盤取付枠を組み立てた状態の斜視図である。
【図１７】本発明に係る第１の実施形態の固定枠と遊技盤取付枠を組み立て遊技盤取付枠に遊技盤を取り付けた状態の斜視図である。
【図１８】本発明に係る第１の実施形態の固定枠から遊技盤取付枠を開いた状態の遊技機の斜視図である。
【図１９】本発明に係る第１の実施形態の遊技盤取付枠から前扉セットを開いた状態の遊技機の斜視図である。
【図２０】本発明に係る第１の実施形態の左斜め前方から見た状態の遊技機の斜視図である。
【発明を実施するための形態】
【００１５】
以下、本発明に実施形態について図面を参照しながら具体的に説明する。
【００１６】
（１）第１の実施形態
図１乃至図８は本発明に係る第１の実施形態を示している。
図１は、本発明に係る第１の実施形態の左斜め前方から見た遊技機１を示す斜視図である。図２は、右斜め前方から見た遊技機１を示す斜視図である。図３は、遊技機１の分解斜視図である。図４は、遊技機１及び遊技球貸出装置（ＣＲ機）２０の正面図である。図５は、図２の遊技機１の背面図である。図６は、遊技機１の斜め後方から見た斜視図である。図７は、遊技機１の右側方から見た断面の概略を示す説明図である。図８は、遊技機１及びこれと接続する機材の回路構成を示すブロック図である。尚、図１は、前扉体８を不透明にして示し、図２は、前扉体８を不透明にして示している。
【００１７】
図１において、遊技機１は、前扉セット５の受皿ユニット９の左側面に本発明の要部となる演出照明部５０１が設けられている。
【００１８】
図３において、遊技機１は、固定枠（外枠）２と、遊技盤取付枠（内枠）３と、遊技盤セット４と、前扉セット５とから構成されている。
固定枠２は、ホールにおいて遊技機１が配置される遊技島設備に固定されものであり、機枠又は機体として所定の外郭方形枠サイズに構成されている。
【００１９】
遊技盤取付枠３は、枠状に形成され、正面左側上下部に配設された開閉連結支持機構１１、１２（図４参照）を介して固定枠２に開閉（片持ち横開き）可能に組付けられることで、前記固定枠２に対して開閉可能に支持されている。
【００２０】
図２において、遊技盤取付枠３は、枠形状の内側に遊技盤セット４が着脱可能にセット保持されている。遊技盤セット４は、パチンコゲームを展開し得るものである。また、遊技盤取付枠３は、遊技機１の正面右側下部に配設されたシリンダ錠１３及びこれと連動する後述の施錠装置１６１（図１０参照）を利用して固定枠２に対して閉鎖状態に保持される。
【００２１】
遊技盤取付枠３の正面側には、遊技盤取付枠３の前側面域に合わせた方形状の前扉セット５が横開き開閉及び着脱が可能に組付けられている。前扉セット５は、シリンダ錠１３及びこれと連動する後述の施錠装置１６１（図１０参照）を利用して遊技盤取付枠３の前面を覆う閉止状態で保持される。
【００２２】
図３において、固定枠２は、固定枠本体２１の下部に装飾部材２２がネジ止めにより取り付け固定される構造になっている。
【００２３】
遊技盤セット４は、遊技盤６と内側透明扉７とから構成されている。
【００２４】
前扉セット５は、前扉体８と受皿ユニット９とから構成されている。
【００２５】
図２及び図３において、内側透明扉７は、ガラス板で形成された内側透明板１８１を枠部材１８２で保持した構造になっている。図３において、枠部材１８２の右辺には、遊技盤６の遊技板４０の右辺近傍の上下に取り付けられる蝶番１８３、１８４が設けられている。図３において、枠部材１８２の左辺には、遊技盤６のレール４２の右側に形成された溝部１８９（図１１参照）に係止する係止部１８５が形成されている。内側透明扉７は、遊技盤６の前面側に開閉可能な状態で支持され、遊技球の前方への移動を規制する。
【００２６】
図２及び図３において、遊技盤６は、板状に形成された板状部として遊技板４０を有し、当該遊技板４０の一方の板面側に遊技球が移動する遊技領域４１を有するとともに、当該遊技領域４１の上側に延出する延出部１００を有し、当該延出部１００に前記電飾装置１０１が取付けられている。
【００２７】
前扉体８は、前記遊技盤取付枠３の前面側に開閉可能な状態で支持されている。前扉体８には、前記遊技盤取付枠３に取り付けられた遊技盤セット４を視認可能にする透明性の遊技盤視認用透明窓６１（図１参照）が設けられるとともに、透明性を有する透明収納部６２（図１参照）が前記遊技盤視認用透明窓６１の上側に形成され、当該透明収納部６２には、遊技盤セット４側の立体形状の電飾装置１０１が挿脱可能な状態で収納されるようになっている。当該透明収納部６２は、電飾装置１０１を外部から視認可能にする。前記遊技盤視認用透明窓６１及び前記透明収納部６２を含む前扉体８の受皿ユニット９より上側の主要部分は、ポリカーボネート等の透明の素材により一体成形されている。
【００２８】
前扉体８と内側透明板１８１を閉じた状態で内側透明扉７の前記内側透明板１８１と前扉体８遊技盤視認用透明窓６１の間には、隙間６０１（図７参照）が設けられている。
【００２９】
受皿ユニット９は、樹脂製のケース本体７０を基本構造とし、前記前扉体６の前記遊技盤視認用透明窓６１より下側に設けられている。受皿ユニット９には、上側が開放した凹形状の遊技球供給皿７１が形成されている。遊技球供給皿７１は、前扉体８の球払出口６４から払い出された遊技球を貯留して整列させる。
【００３０】
図７において、遊技盤取付枠３に取り付けられた遊技盤セット４の遊技盤６は、基材となる遊技板４０の前面に設けられた遊技領域４１を内側透明扉７の内側透明板１８１を介して前記前扉体８の正面に臨ませている。
【００３１】
図２において、受皿ユニット９の右下方位置には、遊技盤取付枠３に設けられた発射部３１（図３参照）を作動させる操作ハンドル６５が配置されている。
操作ハンドル６５は前扉体８から遊技者側へ突出し、前記発射部３１（図３参照）の駆動によって遊技球を発射させる際に遊技者によって操作されている。
【００３２】
操作ハンドル６５は前記発射部３１（図３参照）を駆動させて遊技球を発射させる発射指示部材６６を備えている。発射指示部材６６は、操作ハンドル６５の外周部に、遊技者から見て右回りに回転可能に設けられ、この回転に連動する発射ボリューム６５ａ（図８参照）を有し、遊技者によって直接操作されているときに発射ボリューム６５ａの抵抗値によって発射部３１（図３参照）に遊技球発射の指示を与える。また、操作ハンドル６５には遊技者が発射指示部材６６を直接操作している
操作ハンドル６５に接触すると、操作ハンドル６５に設けられているタッチセンサ６５ｂが、操作ハンドル６５に遊技者が触れたことを検知し、発射制御基板３６（図６及び図８参照）にタッチ信号を送信する。発射制御基板３６は、タッチセンサ６５ｂからタッチ信号を受信すると、発射部３１の発射用ソレノイド３１ａ（図８参照）の通電を許可する。
ことを検出するタッチセンサ６５ｂ（図８参照）等が内蔵されている。
【００３３】
発射部３１の駆動によって発射された遊技球は、遊技盤セット４の遊技板４０に取り付けられた外側及び内側のレール４２４３間を上昇して遊技盤セット４の上部位置に達した後、遊技領域４１内を落下する。遊技領域４１には、遊技球を不特定の方向に向けて落下させるための複数の釘に加え、遊技球の落下方向を変化させる風車や入球口が配置されている。
遊技領域４１の中央部分にはセンター役物４４が配置されている。センター役物４４には、例えば液晶表示器（ＬＣＤ）を用いた画像出力装置４５が配置されている。
【００３４】
画像出力装置４５の下方には遊技球を受入れ可能な第１始動口４６が配置され、第１始動口４６の下方には一対の可動片４７Ｌ、４７Ｒ（図４参照）を有する第２始動口４８が配置されている。第２始動口４８は一対の可動片４７Ｌ、４７Ｒ（図４参照）が閉状態のときに遊技球の受入れを困難にし、開状態のときに第１始動口４６よりも遊技球の受入れを容易にする。
【００３５】
画像出力装置４５の左側には、遊技球の通過を検出し、第２始動口４８を一定時間だけ開放させる普通図柄の抽選を行うための入賞ゲート４９が配置されている。入賞ゲート４９の下方位置等には、遊技球が入球したときに所定数（例えば１０個）の賞球払い出しの権利を獲得する普通入賞口５０ａ、５０ｂ、５０ｃ、５０ｄが配置されている。遊技領域４１の最下部にはどの入球口にも入球しなかった遊技球を回収する回収口５１が配置されている。
【００３６】
図４において、遊技板４０の右下には、主制御基板４０１（図８参照）に設けられた第１特別図柄抽選手段による抽選結果を表示する第１特別図柄表示装置５２、及び主制御基板４０１（図８参照）に設けられた第２特別図柄抽選手段による抽選結果を表示する第２特別図柄表示装置５３が配置されている。これら両表示装置５２、５３には特別図柄が変動表示されていると共に、所定時間経過後に所定の図柄が停止表示され、始動口への遊技球の入球を契機とする抽選の結果が表示されている。両表示装置５２、５３には複数のＬＥＤが使用され、特別図柄の変動表示の開始に伴ってＬＥＤが点滅することで、現在抽選中であるかのような印象を遊技者に与える。所定時間経過後には、抽選結果に応じて予め設定されたＬＥＤが点灯表示し、遊技者に抽選結果が報知されている。
【００３７】
特別図柄の変動表示中に第１始動口４６、あるいは第２始動口４８に遊技球が入球すると、当該入球によって得られる特別図柄の変動表示の権利（以下「保留球」という）が留保されている。この留保された保留球の数は第１特別図柄保留表示装置５４及び第２特別図柄保留表示装置５５に表示されている。
【００３８】
特別図柄の変動表示中に入賞ゲート４９に遊技球が入球すると、普通図柄抽選手段による抽選が行われるが、この抽選結果を表示する普通図柄表示装置５６が前記両表示装置５２、５３の付近に配置されている。普通図柄の変動表示中に入賞ゲート４９に遊技球が入球することによって得られる普通図柄の変動表示の権利、すなわち保留球の数が普通図柄表示装置５７に表示されている。
【００３９】
画像出力装置４５は第１始動口４６、または第２始動口４８に遊技球が入球したときに複数の装飾図柄の変動表示を開始し、所定時間経過後に当該装飾図柄の変動を停止させる。停止時に特定図柄（例えば「７７７」）が揃えば、大当たり遊技（長当たり遊技）を実行する権利を獲得したこととなり、その後、大当たり遊技（長当たり遊技）が開始される。大当たり遊技（長当たり遊技）が開始されると、遊技領域４１の下方に位置する大入賞口ユニット５８における開閉扉５９が一定時間、開放する動作を所定回数（例えば１５回）繰り返し、入球した遊技球に対応する賞球が払い出されている。
【００４０】
大入賞口ユニット５８は遊技盤セット４に設けられた大入賞口６０を開閉する開閉扉５９を開閉自在に支持し、開閉扉５９が大入賞口６０の前面（表面）側に位置した状態で、遊技盤セット４の背面に設置されている。開閉扉５９は通常時には閉鎖して大入賞口６０を閉塞しており、大入賞口６０に遊技球が入球することを阻止している。大当たり遊技が開始されたときには、大入賞口開閉ソレノイド５８ｂ（図８参照）への通電により開閉扉５９が開放して大入賞口６０を開放させる。大入賞口６０の開放時には、開閉扉５９が遊技球を大入賞口６０内に導くための受け皿として機能するため、大入賞口６０に遊技球が入球可能となる。
【００４１】
センター役物４４における画像出力装置４５の上側及び側方（図２においては紙面右側）には、演出用の役物装置（以下、「演出用役物装置」という）９１、９２が配置されている。演出用役物装置９１、９２は例えばモータによって駆動されるようになっている。センター役物４４における演出用役物装置９１の上側には、遊技機１の商品名を模った電飾装置９３が設けられている。
【００４２】
遊技板４０の遊技領域４１の上側には、板面を上方に延出させて延出部１００が形成されている。延出部１００の前面には、電飾装置１０１が取り付けられている。電飾装置１０１は、前扉体６が閉塞された状態で透明収納部６２に収納され、外部から視認可能である。電飾装置１０１には、発光ダイオードによる光源が設けられており、演出内容に応じて発光するようになっている。
【００４３】
図１において、受皿ユニット９の前記遊技球供給皿７１の縁部には、側方から見て円弧状に湾曲する上側円弧曲面部７２が形成されている。上側円弧曲面部７２の下側には、前面部７３を有している。前面部は、左側から右上側に形成される円弧曲面部７４と、左寄りから右間部に形成される三角波形状曲面半透明部７５と、膨出形状半透明部７６とから構成される。三角波形状曲面半透明部７５と、膨出形状半透明部７６の背面側には照明装置１９１（図７参照）がバックライトとして配置しており、遊技機の可動時において三角波形状曲面半透明部７５と膨出形状半透明部７６は、照明装置１９１に照らされ外側から見て発光した状態に見える。
【００４４】
三角波形状曲面半透明部７５と膨出形状半透明部７６の境界線上には、操作ハンドル６５が設けられている。
【００４５】
遊技盤取付枠３には、演出効果音、または不正を知らしめる音声を出力するスピーカ３２（図３参照）が組み込まれている。
【００４６】
前記受皿ユニット９の円弧曲面部７４の右側部には、スピーカ３２からの音声の放音を行う放音部７７が設けられている。放音部７７には、音を通過させる複数の開孔７８が形成されている。
【００４７】
図３に示すスピーカ３２は高音・中音・低音の領域を出力できる機能を有し、通常演出時は高音・中音・低音をバランス良く出力するが、リーチ大当たり等の特別演出時、または不正等があった場合には周りに良く聞こえるように高音領域を高く出力するように制御されている。
【００４８】
上側円弧曲面部７２の遊技球供給皿７１の手前から右端に至る位置には、上側から見て円弧状に湾曲するレール状凸部７９が設けられている。円弧の外周側が手前側になっている。レール状凸部７９の左端及び右側中間部には、遊技球貸出装置２０（図４参照）に関わる変換ボタンとしての球貸しボタン８０と、返却ボタン８１が配置している。上側曲面部７２の球貸しボタン８０と返却ボタン８１の後ろ側には、複数のＬＥＤの点灯によって情報の表示を行う表示部８２が設けられている。
【００４９】
遊技機１は、図４に示す遊技球貸出装置（ＣＲ機）２０が送受信可能に接続されるようになっている。遊技球貸出装置２０は、プリペイドカード等の記録媒体のカード挿排口５００を備え当該記録媒体に記録された金額の残高に応じて遊技球の球貸しの制御を行う。図２に示す表示部８２は、前記記録媒体に記録された金額の残高の情報を表示するとともに前記球貸しボタン８０と、返却ボタン８１が有効中であるか否かを表示する。
【００５０】
上側曲面部７２における遊技球供給皿７１の右側の位置には、チャンスボタン８３が設けられ、チャンスボタン８３の右後ろ側の位置には、十字キー８４が設けられている。
チャンスボタン８３による操作は例えば遊技中における特定のリーチ演出に際し、チャンスボタン８３の操作を促すガイダンスが表示されている間有効となる。
【００５１】
図２において、表示部８２の左斜め後側には、整列路８５が設けられている。整列路８５は、遊技球供給口８６に向けて下方にわずかに傾斜しており、前記遊技球供給皿７１からの遊技球を整列させて遊技球供給口８６に導く。
【００５２】
表示部８２の後側には、球抜きボタン８７が設けられている。遊技機１は、球抜きボタン８７を手動で押し続けることにより、整列路８５の先端に設けた開閉板を移動させて球皿側球排出口８８を開放し、遊技球供給皿７１に貯留された遊技球を球抜きして前記受皿ユニット９の下面部８９に設けられた下側球排出口９０（図７参照）に送るようにしている。下側球排出口９０から排出される遊技球は、通常、ドル箱と呼ばれる遊技球収納箱に受け止められ収納される。
前記受皿ユニット９の左側面には演出照明部５０１が設けられている。
【００５３】
図１において、前扉体８の遊技盤視認用透明窓６１は、板面が前方に向いた曲面形状に形成されている。透明収納部６２は、透明の上下の正面部２１１、２１２及び上面部２１３が一体成形で構成されている。
【００５４】
図４に示すように、上側の正面部２１１は、正面から見た形状が横長で右から左に行くに従い上下のサイズが拡大する三角形状に形成され、図７に示すように側方から見た断面が前方に膨出する形状に形成されている。上側の正面部２１１には、上段の発光ユニット１０３−１、１０３−２…１０３−６が対向して配置している。図４に示すように、上段の発光ユニット１０３−１、１０３−２…１０３−６も右から左に行くに従いサイズが大きくなっている。
【００５５】
図４に示すように、下側の正面部２１２は、正面から見た形状が横長で左から右に行くに従い上下のサイズが拡大する三角形状に形成され、図７に示すように側方から見た断面が前方に膨出する形状に形成されている。下側の正面部２１２には、下段の１０４−１、１０４−２…１０３−９が対向して配置している。図４に示すように、下段の１０４−１、１０４−２…１０３−９も左から右に行くに従いサイズが大きくなっている。
【００５６】
透明収納部６２の上面部２１３は、前扉体８の上側板状部２２０に繋がっている。
【００５７】
以下、図５及び図６を用いて遊技機１の背面側について説明する。
図５及び図６において、遊技機１の裏面の上部には、遊技球を貯留する貯留タンク３３が設置されており、貯留タンク３３は、遊技機１の裏面の左側の上部賞球ケース３４に覆われた払出装置３５に接続されている。賞球ケース３４は、遊技球通路を介して入球に基づく賞球（景品）としての遊技球や球貸し要求に基づく遊技球を遊技者に払い出す。払出装置３５は、例えばステッピングモータ等の駆動部３１ｂ（図８参照）が駆動することによって、賞球または貸し球としての遊技球を１個ずつ遊技者に払い出す。
【００５８】
遊技機１の裏面の払出装置３５の下側には、発射制御基板３６及び払出制御基板３７が前後に並べた状態で取り付けられている。発射制御基板３６及び払出制御基板３７は、基板ケース３０１により収納されている。
【００５９】
遊技機１の裏面の払出制御基板３７の右側には、基板ケース３０２に収納された電源基板３８が取り付けられている。遊技機１の裏面の払出制御基板３７の上側には、払出情報出力端子板３９が設けられている。払出情報出力端子板３９は、基板ケース３０１により収納されている。
【００６０】
貯留タンク３３、賞球ケース３４、払出装置３５、発射制御基板３６、払出制御基板３７及び電源基板３８は、遊技盤取付枠３側に固定されている。
【００６１】
遊技機１の裏側の電源基板３８の上側には、基板ケース４１１に収納され主制御基板４０１が設けられる。遊技機１の裏側の主制御基板４０１と貯留タンク３３の間には、基板ケース４１３に収納され背面カバー４１２で覆われた演出制御基板４０２及びランプ制御基板４０４が設けられている。遊技機１の裏側の演出制御基板４０２の左側下方には、遊技情報出力端子板４０３が取り付けられている。
【００６２】
主制御基板４０１、演出制御基板４０２、遊技情報出力端子板４０３、基板ケース４１１、４１３及び背面カバー４１２は、遊技盤セット４側に取り付けられている。
【００６３】
図２及び図７において、内側透明扉７は、遊技盤６の前面側に開閉可能な状態で支持され、遊技球の前方への移動を規制する。
【００６４】
図７において、透明収納部６２によって前扉体８の裏側に形成される凹部２１６には、前記電飾装置１０１の前半部が挿入される。電飾装置１０１の背面から延出するハーネス１０５は、遊技板４０の裏側から基板ケース４１３に収納され背面カバー４１２で覆われたランプ制御基板４０４（図６参照）に接続される。
【００６５】
（制御手段の内部構成）
次に、図８を用いて遊技の進行を制御する制御手段について説明する。
図８において、遊技機１の制御手段は、主制御基板４０１、演出制御基板４０２、払出制御基板３７、ランプ制御基板４０４及び画像制御基板４０５から構成されている。
【００６６】
主制御基板４０１は遊技の基本動作を制御する。この主制御基板４０１は、メインＣＰＵ４０１ａ、メインＲＯＭ４０１ｂ、メインＲＡＭ４０１ｃを備えている。メインＣＰＵ４０１ａは、各検出センサやタイマからの入力信号に基づいて、メインＲＯＭ４０１ｂに格納されたプログラムを読み出して演算処理を行うとともに、各装置や表示装置を直接制御したり、あるいは演算処理の結果に応じて他の基板に所定のコマンドを送信したりする。メインＲＡＭ４０１ｃは、メインＣＰＵ４０１ａの演算処理時におけるデータのワークエリアとして機能する。
【００６７】
前記主制御基板４０１の入力側には、第１始動口検出センサ４６ａ、第２始動口検出センサ４８ａ、第１大入賞口検出センサ５８ａ、入賞ゲート検出センサ４９ａ及び一般入賞口検出センサ５０ｅが接続されている。これら各センサ４６ａ、４８ａ、５８ａ、４９ａ、５０ｅは、それぞれ対応する検出信号を主制御基板４０１に送信する。主制御基板４０１は、乱数発生器を備えており、第１始動口検出センサ４６ａ、第２始動口検出センサ４８ａ、第１大入賞口検出センサ５８ａ、入賞ゲート検出センサ４９ａの検出信号の受信タイミングで乱数発生器から乱数を取得し、この乱数を各種テーブルと比較することで大当たり、ハズレ、可動片４７Ｌ、４７Ｒ（図４参照）の開閉等の各種抽選を行っている。
【００６８】
主制御基板４０１の出力側には、第２始動口４８の一対の可動片４７Ｌ、４７Ｒを動かす第２始動口開閉ソレノイド４８ｂ、大入賞口ユニット５８の大入賞口開閉扉５９を動かす大入賞口開閉ソレノイド５８ｂが接続されている。主制御基板４０１は、出力ポート（図示せず）を介して各ソレノイド４８ｂ、５８ｂを制御する信号を各ソレノイド４８ｂ、５８ｂに送信する。また、主制御基板４０１の出力側には、第１特別図柄表示装置５２、第２特別図柄表示装置５３及び普通図柄表示装置５６が接続されるとともに、第１特別図柄保留表示装置５４、第２特別図柄保留表示装置５５及び普通図柄保留表示装置５７が接続されている。主制御基板４０１は、出力ポート（図示せず）を介して各表示装置５２、５３、５４、５５、５６、５７を制御する信号を各表示装置５２、５３、５４、５５、５６、５７に送信する。また、主制御基板４０１は、第１始動口検出センサ４６ａ、第２始動口検出センサ４８ａ、一般入賞口検出センサ５０ｅ及び第１大入賞口検出センサ５８ａの検出結果に基づき、各入球口（第１始動口４６、第２始動口４８、普通入賞口５０ａ、５０ｂ、５０ｃ、５０ｄ、大入賞口６０）に入球した遊技球に対応した賞球数を払い出させる賞球要求信号を払出制御基板３７に送信する。
【００６９】
さらに、主制御基板４０１の出力側には遊技情報出力端子板４０３が接続されている。主制御基板４０１は、出力ポートを介して、所定の遊技に関する情報（以下、遊技情報という）が変換された外部信号を遊技情報出力端子板４０３に送信する。遊技情報出力端子板４０３には遊技機1の外側に設けられた遊技情報表示装置１０及び遊技店のホールコンピュータが接続されており、遊技情報出力端子板４０３からは前記の所定の遊技情報（外部信号）が遊技情報表示装置１０及びホールコンピュータに送信される。遊技者には、所定の遊技情報が遊技情報表示装置１０で出力（表示）されることで、遊技機（台）選びの判断材料が提供されることになる。一方、遊技店は、前記所定の遊技情報がホールコンピュータに接続された表示装置やプリンターで出力（表示・印刷）されることで、各遊技機の稼働状況を把握することができる。
【００７０】
演出制御基板４０２は、主に遊技中や待機中等の各演出を制御する。この演出制御基板４０２は、サブＣＰＵ４０２ａ、サブＲＯＭ４０２ｂ、サブＲＡＭ４０２ｃを備えており、主制御基板４０１に、当該主制御基板４０１から演出制御基板４０２への一方向に通信可能に接続されている。また、演出制御基板４０２の入力側には、チャンスボタン検出スイッチ８３ｂ及び十字キー検出スイッチ８４ａが接続されている。演出制御基板４０２には、チャンスボタン８３の操作部に操作が行われたことを示す演出ボタン検出信号がチャンスボタン検出スイッチ８３ｂ及び十字キー８４の操作部に操作が行われたことを示す十字キー検出信号が十字キー検出スイッチ８４ａから送信される。
【００７１】
サブＣＰＵ４０２ａは、主制御基板４０１から送信されたコマンド、または、前記チャンスボタン検出スイッチ８３ｂ及び十字キー検出スイッチ８４ａや図示しないタイマからの受信信号に基づいて、サブＲＯＭ４０２ｂに格納されたプログラムを読み出して演算処理を行うとともに、当該処理に基づいて、コマンドをランプ制御基板４０４や画像制御基板４０５に送信する。サブＲＡＭ４０２ｃは、サブＣＰＵ４０２ａの演算処理時におけるデータのワークエリアとして機能する。
【００７２】
払出制御基板３７は、遊技球の発射制御と遊技球の払い出し制御とを行う。この払出制御基板３７は、払出ＣＰＵ３７ａ、払出ＲＯＭ３７ｂ、払出ＲＡＭ３７ｃを備えており、主制御基板４０１及び発射制御基板３６に対して、双方向に通信可能に接続されている。
【００７３】
払出ＣＰＵ３７ａの入力側には、払出装置３５において遊技球が払い出されたか否かを検知する払出球計数スイッチ３５ａが接続されている。また、払出ＣＰＵ３７ａの入力側には、球貸しボタン８０の操作を検出する球貸しボタン検出スイッチ８４ａと、返却ボタン８１の操作を検出する返却ボタン検出スイッチ８１ａとが設けられている。
【００７４】
払出ＣＰＵ３７ａは、払出球計数スイッチ３５ａからの払出球検知信号と、球貸しボタン検出スイッチ８４ａからの球貸しボタン操作検出信号と、返却ボタン検出スイッチ８１ａからの返却ボタン操作検出信号と、タイマからの受信信号とに基づいて、払出ＲＯＭ３７ｂに格納されたプログラムを読み出して演算処理を行うとともに、当該処理に基づいて、対応するデータを主制御基板４０１に送信する。
【００７５】
払出制御基板３７の出力側には、貯留タンク３３から所定数の遊技球を遊技者に払い出すための払出装置３５の払出駆動部３５ｂが接続されている。払出ＣＰＵ３７ａは、主制御基板４０１から送信された賞球要求信号に基づいて、払出ＲＯＭ３７ｂから所定のプログラムを読み出して演算処理を行うとともに、払出装置３５を制御して所定の遊技球を遊技者に払い出す。このとき、払出ＲＡＭ３７ｃは、払出ＣＰＵ３７ａの演算処理時におけるデータのワークエリアとして機能する。
【００７６】
また、払出ＣＰＵ３７ａは、遊技機1の外側に設けられた遊技球貸出装置（カードユニット）２０が払出制御基板３７に接続されているか否かを確認し、遊技球貸出装置２０が接続されていれば、発射制御基板３６に遊技球を発射させることを許可する発射制御データを送信する。
【００７７】
払出制御基板３７の出力側には、表示部８２（図２参照）に設けられた遊技情報表示基板８２ａが接続されている。払出ＣＰＵ３７ａは、遊技球貸出装置２０から受信したデータに基づいて、遊技球貸出装置２０の前記カード挿排口５００に挿入されたカードの残高を遊技情報表示基板８２ａに表示するとともに、球貸しボタン８０が有効中である、即ち、遊技球貸出装置２０を用いた玉貸し可能であるか否かを遊技情報表示基板８２ａに表示する。
【００７８】
発射制御基板３６は、払出制御基板３７から発射制御データを受信すると発射部３１（図３参照）による発射の許可を行う。そして、操作ハンドル６５（図２参照）に設けられたタッチセンサ６５ｂからのタッチ信号と発射指示部材６６（図２参照）に連動する発射ボリューム６５ａからの入力信号とを読み出し、発射部３１（図３参照）の発射用ソレノイド３１ａを通電制御し、遊技球を発射させる。
【００７９】
第１の実施形態では、発射用ソレノイド３１ａの回転速度は、発射制御基板３６に設けられた水晶発振器の出力周期に基づく周波数から、約９９．９（回／分）に設定されている。これにより、１分間における発射遊技数は、発射用ソレノイド３１ａが１回転する毎に１個発射されるため、約９９．９（個／分）となる。
【００８０】
ランプ制御基板４０４は、前記各基板と同様に、ランプＣＰＵ４０４ａ、ランプＲＯＭ４０４ｂ、ランプＲＡＭ４０４ｃを備えており、遊技盤２に設けられた電飾装置９３の複数の発光ダイオード及び電飾装置１０１の複数の発光ダイオードを点灯制御する。また、演出照明部５０１の電球型発光ダイオードランプ５０２を点灯制御する。また、ランプ制御基板４０４は、演出用役物装置９１、９２を作動させるソレノイドやモータ等の駆動源を通電制御する。さらに、ランプ制御基板４０４は、チャンスボタン８３（図２参照）に設けられた発光ダイオード８３ａを点灯制御する。このランプ制御基板４０４は、演出制御基板４０２に接続されており、演出制御基板４０２から送信されたコマンドに基づいて、前記の各制御を行うこととなる。
【００８１】
画像制御基板４０５は、少なくとも画像出力装置４５に表示される動画や静止画等の画像を制御する画像制御部４０５Ｂと、スピーカ３２から出力される音を制御する音声制御部４０５Ｃと、画像制御部４０５Ｂ及び音制御部４０５Ｃを統括制御する統括部４０５Ａとを有する。
【００８２】
画像制御基板４０５の統括部４０５Ａは、演出制御基板４０２から送信される演出確定コマンドを受信し、統括部４０５Ａの統括ＣＰＵ４０５Ａ１が画像出力装置４５に表示される画像の制御及びスピーカ３２から出力される音の制御を行う。統括ＲＯＭ４０５Ａ２には、当該統括ＣＰＵ４０５Ａ１の実行する制御プログラムが記憶されている。統括ＣＰＵ４０５Ａ１は、統括ＲＯＭ４０５Ａ２が接続されるとともに、統括ＲＡＭ４０５Ａ３が接続されており、統括ＣＰＵ４０５Ａ１の動作に必要な制御プログラムが読み出されるようになっている。
【００８３】
また、統括ＣＰＵ４０５Ａ１は、画像制御部４０５Ｂの画像ＣＰＵ４０５Ｂ１、及び、音制御部４０５Ｃの音ＣＰＵ４０５Ｃ１に接続される。画像ＣＰＵ４０５Ｂ１は画像出力装置４５に表示させる画像に対応する画像信号を生成し、生成した画像信号を画像出力装置４５の駆動回路に送信する。一方、音ＣＰＵ４０５Ｃ１は、スピーカ３２から出力させる音に対応する音信号を生成し、生成した音信号をスピーカ３２の駆動回路に送信する。
【００８４】
画像ＣＰＵ４０５Ｂ１には、画像ＲＯＭ４０５Ｂ２が接続されている。画像ＲＯＭ４０５Ｂ２には、画像ＣＰＵ４０５Ｂ１の実行する制御プログラムが記憶されている。画像ＲＯＭ４０５Ｂ２からは、画像ＣＰＵ４０５Ｂ１の動作に必要な制御プログラムが画像ＣＰＵ４０５Ｂ１の制御により読み出されるようになっている。また、画像ＣＰＵ４０５Ｂ１は、画像出力装置４５に表示する、例えば背景、キャラクタ、装飾図柄等の画像に係る画像データも予め記憶されている。また、画像ＣＰＵ４０５Ｂ１は、生成した画像信号を展開して記憶させる画像ＲＡＭ４０５Ｂ３にも接続されている。
【００８５】
なお、画像ＣＰＵ４０５Ｂ１は、画像出力装置４５に対して、背景画像表示処理、装飾図柄表示処理、キャラクタ画像表示処理など各種画像処理を実行するが、背景画像、装飾図柄画像、キャラクタ画像は、画像出力装置４５の表示画面上において重畳表示される。すなわち、装飾図柄画像やキャラクタ画像は背景画像よりも手前に見えるように表示される。このとき、同一位置に背景画像と図柄画像が重なる場合、Ｚバッファ法など周知の陰面消去法により各画像データのＺバッファのＺ値を参照することで、図柄画像を優先して画像ＲＡＭ４０５Ｂ３に記憶させる。
【００８６】
一方、音ＣＰＵ４０５Ｃ１にも、音声ＲＯＭ４０５Ｃ２が接続されている。音声ＲＯＭ４０５Ｃ２には、音ＣＰＵ４０５Ｃ１の実行する制御プログラムが記憶されている。音声ＲＯＭ４０５Ｃ２からは音４０５Ｃ１の動作に必要な制御プログラムが音ＣＰＵ４０５Ｃ１の制御により読み出されるようになっている。音４０５Ｃ１には、スピーカ３２から出力される音の音データも予め記憶されている。また、音ＣＰＵ４０５Ｃ１は、生成した音信号を展開して記憶する音ＲＡＭ４０５Ｃ３にも接続されている。
【００８７】
一方、上述の遊技情報出力端子板４０３は、主制御基板４０１において生成された外部信号を遊技店のホールコンピュータ及び遊技情報表示装置１０に伝達するための中継的な基板である。第１の実施形態においては、遊技情報出力端子板４０３は出力側で遊技情報表示装置１０にのみ直接接続されており、遊技情報表示装置１０を介してホールコンピュータに接続されている。遊技情報出力端子板４０３は、主制御基板４０１と配線接続され、遊技店のホールコンピュータ等と接続をするためのコネクタが設けられている。
【００８８】
なお、第１の実施形態では遊技情報出力端子板４０３は遊技情報表示装置１０を介してホールコンピュータに接続されているが、遊技情報出力端子板４０３から遊技情報表示装置１０及びホールコンピュータの双方に接続される構成でもよい。また、遊技情報出力端子板４０３はホールコンピュータを介して遊技情報表示装置１０に接続される構成でもよい。
【００８９】
上述の払出情報出力端子板３９は、払出制御基板３７において生成された、賞球払出個数を示す賞球要求信号及び貸し球払出個数を示す球貸要求信号をホールコンピュータに出力するための中継的な基板である。第１の実施形態においては、払出情報出力端子板３９も遊技情報表示装置１０を介してホールコンピュータに接続されている。払出情報出力端子板３９は、払出制御基板３７と配線接続され、遊技店のホールコンピュータ等と接続をするためのコネクタが設けられている。
【００９０】
なお、第１の実施形態では払出情報出力端子板３９は遊技情報表示装置１０を介してホールコンピュータに接続されているが、払出情報出力端子板３９から遊技情報表示装置１０及びホールコンピュータの双方に接続される構成でもよい。また、払出情報出力端子板３９はホールコンピュータを介して遊技情報表示装置１０に接続される構成でもよい。
【００９１】
電源基板３８は、コンデンサからなるバックアップ電源を備えており（図示せず）、遊技機に供給する電源電圧を監視し、電源電圧が所定値以下となったときに、電断検知信号を主制御基板４０１に出力する。より具体的には、電断検知信号がハイレベルになるとメインＣＰＵ４０１ａは動作可能状態になり、電断検知信号がローレベルになるとメインＣＰＵ４０１ａは動作停止状態になる。バックアップ電源はコンデンサに限らず、例えば、電池でもよく、コンデンサと電池とを併用して用いてもよい。
【００９２】
以下、遊技機１の各部材について詳細に説明する。
図９乃至図１９は本発明に係る第１の実施形態を示し、図９は、固定枠２の分解斜視図である。図１０は、遊技盤取付枠３の斜視図である。図１１は遊技盤６の斜視図である。図１２は、扉体８の右斜め前方から見た斜視図である。図１３は、前扉セット５の右斜め後方から見た斜視図である。図１４は、受皿ユニット９に設けられた演出照明部５０１の分解斜視図である。図１５は、受皿ユニット９に設けられた演出照明部５０１の断面図である。図１６は、固定枠２と遊技盤取付枠３を組み立てた状態の斜視図である。図１７は、固定枠２と遊技盤取付枠３を組み立て遊技盤取付枠３に遊技盤セット４を取り付けた状態の斜視図である。図１８は、固定枠２から遊技盤取付枠３を開いた状態の遊技機１の斜視図である。図１９は、遊技盤取付枠３から前扉セット５を開いた状態の遊技機１の斜視図である。
【００９３】
まず、固定枠２について詳細に説明する。
図９において、第１の実施形態における固定枠２は、固定枠本体２１と、装飾部材２２と、ネジ２３、２３とから構成されている。
【００９４】
固定枠本体２１は、例えば上下辺部１１１、１１２がアルミ製の板材１２１、１２２と木製の板材１２３、１２４が重ねて構成され、左右側辺部１１３、１１４がアルミ製の板材１２５、１２６により構成され、これら各板材が小ネジ等の離脱可能な締結具により全体として矩形枠状に組み付けられている。
【００９５】
左側辺部１１３の上下端部には、図３に示した開閉連結支持機構１１、１２の上軸受片１３１及び下軸受片１３２がそれぞれ設けられている。当該上軸受片１３１及び下軸受片１３２にて、図１６に示すように、遊技盤取付枠３の上下部が回動可能に支持されており、これにより遊技盤取付枠３が開閉可能となる。
【００９６】
図９において、右側辺部１１４の枠内側面の上部及び下部には、遊技盤取付枠３に設けられた後述する施錠装置１６１（図１０参照）の内枠鉤部１６３、１６４（図１０参照）に対応して、上下一対の鉤受部１３３、１３４が設けられている。これにより、固定枠２に対して遊技盤取付枠３が閉じられた状態で、内枠鉤部１６３、１６４は、当該鉤受部１３３、１３４に係止される。
【００９７】
さらに、固定枠２の下辺部１１２には、樹脂製の装飾部材２２がネジ２３、２３によりネジ止め固定されている。装飾部材２２の前面上側には、前方を向く垂直面部１４１が設けられている。装飾部材２２の前面下側には、前側斜め下方を向く傾斜面部１４２が設けられている。
【００９８】
次に、遊技盤取付枠３を詳細に示す。
図１０において、遊技盤取付枠３は、外形が矩形状をなす樹脂ベース１５１を主体に構成されており、当該樹脂ベース１５１の中央部には略四角形状の部品挿入孔１５２が形成されている。
【００９９】
部品挿入孔１５２には、図６に示した遊技盤セット４の主制御基板４０１、演出制御基板４０２、遊技情報出力端子板４０３、基板ケース４１１、４１３及び背面カバー４１２が挿入される。
【０１００】
図１０において、当該樹脂ベース１５１の部品挿入孔１５２の前側には、遊技盤セット４の遊技板４０が内側に挿入される枠状部１５３が形成されている。
【０１０１】
枠状部１５３は、上壁１５４、下壁１５５、左側壁１５６、右側壁１５７からなる内側四面によって略長方形状の囲繞空間が形成され、この囲繞空間に図３に示す遊技盤セット４（図１１参照）が固定される。遊技盤セット４を固定する手段として、枠状部１５３の左側壁１５６の枠形状内側面の上下部には、遊技盤止め具１５８ａ、１５８ｂが設けられており、上壁１５４および下壁１５５のそれぞれ右側壁１５７寄りには遊技盤固定具１５９、１６０が設けられている。
【０１０２】
遊技盤取付枠３に遊技盤セット４を固定する場合、図１７に示すように、遊技盤セット４の遊技板４０の左辺が遊技盤止め具１５８ａ、１５８ｂに嵌入され、遊技盤セット４の遊技板４０の右上コーナー及び右下コーナーが遊技盤固定具１５９、１６０により押さえつけられる。
遊技盤取付枠３に固定された遊技盤セット４は、遊技盤固定具１５９、１６０を操作することで遊技盤取付枠３からの取り外しが可能になる。
【０１０３】
図１０に示すように、遊技盤取付枠３の右面には、施錠装置１６１が設けられている。施錠装置１６１は、前方に設けられた内枠鉤部１６２と、後方に設けられた内枠鉤部１６３、１６４とを備え、前方に設けられた連動用突起部１６５、１６６の動作に連動して内枠鉤部１６２、１６３、１６４が上下にスライドするようになっている。連動用突起部１６５、１６６は、前扉セット５のシリンダ錠１３のロータと連動するスライド部１４（図１３参照）により作動される。
【０１０４】
作業者がシリンダ錠１３（図１参照）の鍵穴に鍵を挿入して時計回りに操作した場合、前扉セット５（図１３参照）のスライド部１４（図１３参照）が中間部から下側にスライドし、図１０に示す施錠装置１６１の連動用突起部１６５が下側にスライドして内枠鉤部１６３、１６４が下側に押し下げられて、内枠鉤部１６３、１６４による当該鉤受部１３３、１３４（図９参照）の係止が解除して固定枠２に対して遊技盤取付枠３が図１８に示すように開放可能になる。
【０１０５】
作業者がシリンダ錠１３（図１参照）の鍵穴に鍵を挿入して反時計回りに操作した場合、前扉セット５のスライド部１４（図１３参照）が中間部から上側にスライドし、図１０に示す施錠装置１６１の連動用突起部１６６が上側にスライドして内枠鉤部１６２が上側に押し上げられて、内枠鉤部１６２による鉤受部１５（図１３参照）の係止が解除して遊技盤取付枠３に対して前扉セット５が図１９に示すように開放可能になる。
【０１０６】
また、遊技盤取付枠３の右下側の内側面には、前扉セット５の前扉体８から延出するハーネス２４３を保持するフック１６７が設けられている。遊技盤取付枠３の右下側には、ハーネス２４３を遊技盤取付枠３の裏側へ挿通させる貫通部１６８が設けられている。
【０１０７】
遊技盤取付枠３の左側辺部の上下端部には、図３に示した開閉連結支持機構１１、１２の上軸取付片１６９及び下軸取付兼軸受片１７０がそれぞれ設けられている。上軸取付片１６９及び下軸取付兼軸受片１７０には、それぞれ軸１７１、１７２が設けられている。軸１７１、１７２は、固定枠２（図９参照）の上軸受片１３１及び下軸受片１３２にて回転可能な状態で軸受けが行われるようになっている。上軸取付片１６９及び下軸取付兼軸受片１７０は、図１９に示すように前扉セット５の前扉体８の上下部を回動可能に支持するようになっている。
【０１０８】
以下、遊技盤セット４の遊技盤６について詳細に説明する。
図１１において、遊技盤６は、合板の前面に樹脂シートを貼り付けた構造の遊技板４０にセンター役物４４等の各種所物や遊技釘４２７を配置したものである。
遊技盤６の前面には、遊技領域４１が形成されている。
【０１０９】
センター役物４４は、前記遊技領域４１の中央に設けられ、開口部４２２が形成された枠部材４２１を主要構成とする前側ユニット４２０を有し、当該開口部４２２の背面側に画像出力装置４５が配置されている。画像出力装置４５の開口部４２２から露出する部分は、画面４２３となっている。
【０１１０】
センター役物４４の枠部材４２１の上側中央の若干左寄りには、曲面部４２４（図４参照）が設けられており、遊技領域４１は、この曲面部４２４から左右に分岐して左打ち用の遊技領域４２５と勢いが付きすぎた遊技球を減速させて回収口５１に導く線路４２６に分けられている。
【０１１１】
左打ち用の遊技領域４２５には、多数本の遊技釘４２７とともに、入賞ゲート４９、普通入賞口５０ａ、５０ｂ、５０ｃ、５０ｄ、風車４２８、第１始動口４６、第２始動口４８、大入賞口ユニット５８等が配置されている。大入賞口ユニット５８は、遊技板４０を貫通する取付孔に取り付け固定される。
【０１１２】
一方、枠部材４２１の左側壁４３１には、左打ち用の遊技領域４２５を落下する遊技球が付近の遊技釘４２７の誘導により比較的低い確率で突入するワープ経路４３２が設けられている。
【０１１３】
枠部材４２１の下壁４３３の正面側の上面には、ワープ経路４３２を通過した遊技球が転がるステージ面４３４が形成されている。ステージ面４３４の中央には遊技球を第１始動口４６に誘導する誘導孔４３５の入り口４３６が設けられている。誘導孔４３５の出口４３７は、第１始動口４６の上方に位置する。ステージ面４３４の手前には、ステージ面４３４から転落した遊技球が転がるステージ面４３８が形成されている。ステージ面４３８の中央には、遊技球を第１始動口４６に誘導する誘導溝４３９が形成されている。
【０１１４】
枠部材４２１の左側壁４３１、下壁４３３、右側壁４４０、上壁４４１により囲まれる領域は、上述の開口部４２２となっている。
【０１１５】
遊技球は、通常の遊技状態で、曲面部４２４よりも左下側に落下して左打ち用の遊技領域４２５に導かれ、遊技釘４２７や風車４２８に衝突しながら、あるものは、ワープ経路４３２、ステージ面４３４及び誘導孔４３５を通過し第１始動口４６に落下し、また、あるものは、ステージ面４３８及び誘導溝４３９を通過し第１始動口４６に落下し、また、あるものは、ワープ経路４３２を介さず直接下方に落下し、普通入賞口５０ａ、５０ｂ、５０ｃ、５０ｄまたは第１始動口４６に入賞し、また、あるものは、アウト球として回収口５１に集合し、アウト球通路孔を通って遊技盤セット４の裏面（背面）側に排出される。
【０１１６】
遊技板４０の上側の延出部１００の前面には、立体形状の電飾装置１０１が延出部１００の後側からのネジ止めにより取り付けられている。
【０１１７】
電飾装置１０１は、板状の形状の装飾取付部１０２にサーチライト形状の発光ユニット１０３−１、１０３−２…１０３−６、１０４−１、１０４−２…１０３−９を上下２段で横方向に並べて取り付けたものである。発光ユニット１０３には、演出用の照明光の発光を行う発光ダイオードが設けられている。発光ユニット１０３−１、１０３−２…１０３−６、１０４−１、１０４−２…１０４−９は、延出部１００に形成された貫通孔を挿通するハーネスを介して図８に示したランプ制御基板４０４に接続している。
【０１１８】
遊技盤６のレール４２の右側には、合成樹脂により左右の幅を広げた幅広部８８形成され、この幅広部８８の右面には、内側透明扉７の係止部１８５が係止する溝部１８９が形成されている。
【０１１９】
以下、前扉体８と受皿ユニット９について詳細に説明する。
図１２において、前扉体８の遊技盤視認用透明窓６１の下側には、不透明部６８が設けられている。不透明部６８の表面の左側には、球払出口６４が設けられる。
【０１２０】
図１３において、不透明部６８の裏面側には、球払出口６４に繋がる遊技球ガイド２４１が設けられている。遊技球ガイド２４１は、レール４２４３（図１１参照）から逆流して落下する遊技球及び払出装置３５（図５参照）から払い出された遊技球を球払出口６４に導く。不透明部６８の背面における球払出口６４より右側には、開口部２４２が設けられ、この開口部２４２から受皿ユニット９の操作ハンドル６５の発射ボリューム６５ａ（図８参照）及びタッチセンサ６５ｂ（図８参照）等の電子部品と接続するハーネス２４３が延出している。
【０１２１】
不透明部６８の略中央には、受皿ユニット９の背面に設けられた遊技球ガイド部材２０６（図１３参照）が挿入される貫通孔２４４が形成されている。
【０１２２】
不透明部６８の右側には、遊技盤取付枠３に設けられたスピーカ３２（図１０参照）からの音声を音伝達管路６０２（図７参照）を介して放音部７７（図３参照）へ通過させる貫通孔２４５が形成されている。
【０１２３】
不透明部６８の左右両脇には、ネジ２４６、２４６のネジ部が挿通するネジ挿通孔が設けられている。受皿ユニット９の裏側には、ネジ２４６のネジ部が螺入するネジ螺入孔が設けられている。ネジ２４６、２４６は、ネジ部が不透明部６８のネジ挿通孔に挿通し、受皿ユニット９の裏側のネジ孔に螺入して締め付けられることで、不透明部６８の前面に受皿ユニット９をネジ止固定する。
【０１２４】
受皿ユニット９の背面に設けられた遊技球ガイド部材２０６（図１３参照）は、受皿ユニット９の遊技球供給口７９からの遊技球を遊技盤取付枠３の発射部３１に導く。
【０１２５】
以下、受皿ユニット９の演出照明部５０１について詳細に説明する。
図１４において、演出照明部５０１は、光源である電球型発光ダイオードランプ５０２と、リフレクタ５０３と、ソケット５０４と、レンズ５０５と、レンズ枠５０６とから構成されている。
【０１２６】
受皿ユニット９のケース本体７０の左側面には、電球型発光ダイオードランプ５０２とソケット５０４が取り付けられたリフレクタ５０３を収納する凹部５０８が形成されている。凹部５０８の奥面には、ソケット５０４が挿通される貫通孔５８１が形成されている。凹部５０８の後面には、ネジ５０７のネジ部が挿通されるネジ挿通孔５８２が形成されている。
【０１２７】
リフレクタ５０３は、前側の曲率が高い反射面５３１と後ろ側が曲率の低い反射面５３２で拡開形状に形成されていね。リフレクタ５０３の奥面の貫通部５３３には、当該リフレクタ５０３の内側から電球型発光ダイオードランプ５０２の口金５２１が挿入される。リフレクタ５０３の奥面から外側に突出する口金５２１には、ソケット５０４が螺着される。ソケット５０４から延出するハーネス５４１は、図１３に示すハーネス２４３の一部として不透明部６８の背面の開口部２４２から前扉体８の背面側に延出し、遊技板４０の裏側から基板ケース４１３に収納され背面カバー４１２で覆われたランプ制御基板４０４（図６参照）に接続される。
【０１２８】
レンズ５０５は、断面がメニスカス形状の凸レンズであり、外周がリフレクタ５０３の大径側の開口５３４に合わせて形成されておりは、前側外周５５１の曲率が高く後側外周５５２の曲率が低い３０パーセント欠けた月の形状に形成されていね。また、図１５に示すように、レンズ５０５は、外側面５５３が曲率の高い凸曲面になり、内側面５５４が曲率の低い凹曲面になっている。
【０１２９】
図１４において、レンズ枠５０６は、外周５６１がレンズ５０５より大きく内周５６２がレンズ５０５より小さく形成されている。レンズ枠５０６の内側面には、レンズ枠５０６の外周５５１、５５２と嵌合する段部５６３が形成されている。レンズ枠５０６の後ろ側の上下の中央には、ネジ止め部となる舌片５６４が形成されている。舌片５６４には、ネジ５０７のネジ部が挿入されるネジ孔５６５が形成されている。
【０１３０】
ネジ５０７は、ねじ部が受皿ユニット９のケース本体７０の内側から凹部５０８の後面のネジ挿通孔５８２に挿通され、レンズ枠５０６の舌片５６４のネジ孔５６５にネジ止め固定する。
【０１３１】
レンズ枠５０６は、図１５に示すように舌片５６４のネジ孔５６５にネジ止め固定されることで、電球型発光ダイオードランプ５０２とソケット５０４が取り付けられたリフレクタ５０３を凹部５０８に収納し、リフレクタ５０３の大径側の開口５３４をレンズ５０５で覆った状態でこれら部材を固定する。
【０１３２】
以下、受皿ユニット９の演出照明部５０１の動作について説明する。
リーチ大当たり等の特別演出時、または不正等があった場合、ランプ制御基板４０４（図６参照）は、ハーネス５４１を介して電球型発光ダイオードランプ５０２に電力を供給して電球型発光ダイオードランプ５０２を高輝度で発光させる。電球型発光ダイオードランプ５０２の発光による照明光Ｌ１は、レンズ５０５を直接透過して受皿ユニット９の左側方に出射したり、リフレクタ５０３の反射面５３１、５３２を反射しレンズ５０５を透過して受皿ユニット９の左側方に出射したりする。
【０１３３】
リフレクタ５０３及びレンズ５０５は、前記受皿ユニット９の側面に設けられ、当該受皿ユニット９の側方に光軸Ｓ１を向けた状態で電球型発光ダイオードランプ５０２からの照明光を集め当該受皿ユニット９の外部に照射する。
【０１３４】
以下、透明部６８より上側における前扉体８の裏側について更に詳細に説明する。
図１３において、前扉体８の透明収納部６２は、透明収納部６２は、透明の上下の正面部２１１、２１２、上面部２１３、左右の側壁部２１４、２１５により形成され、上下の正面部２１１、２１２、上面部２１３、左右の側壁部２１４、２１５により背面側に凹部２１６が形成される。
側壁部２１４、２１５は、遊技盤視認用透明窓６１の左右に配置する側壁部２２１、２２２に繋がっている。
【０１３５】
遊技盤視認用透明窓６１は上辺が直線状に形成されている、左右両辺が前方に向けて膨出するように湾曲する。側壁部２２１、２２２と遊技盤視認用透明窓６１の間は、段部２２３、２２４になっている。
【０１３６】
図１３において、前扉体８の左側辺部の上下端部には、図３に示した開閉連結支持機構１１、１２の上軸取付片２６１及び下軸取付片２６２がそれぞれ設けられている。上軸取付片２６１及び下軸取付片２６２には、それぞれ軸２６３、２６４が設けられており、軸２６３、２６４は、固定枠２（図９参照）の上軸受片１３１（図９参照）及び遊技盤取付枠３（図１０参照）の下軸取付兼軸受片１７０（図１０参照）にて回転可能な状態で軸受けが行われるようになっている。上側の軸２６３は、上軸取付片２６１の本体に対して上下にスライド可能であるとともに、図示しないコイルばねにより上方に付勢されている。上側の軸２６３を上軸受片１３１（図１０参照）の下側の軸受穴に取り付ける際には、上側の軸２６３を一旦下方にスライドさせる。
【０１３７】
図１８において、開閉連結支持機構１１、１２（図３参照）による固定枠２に対する遊技盤取付枠３の開閉軸線Ｌ１は、遊技機１の正面からみて左側において上下に沿って設定されており、この開閉軸線を軸心として固定枠２に対して遊技盤取付枠３が前方側に開放できるようになっている。
【０１３８】
図１９において、遊技盤取付枠３の前面側には、前扉セット５が開閉可能に取付けられている。前扉セット５は、遊技盤取付枠３と同様に、開閉連結支持機構１１、１２（図３参照）により、遊技機１の正面から見て左側において上下に沿って設定された開閉軸線Ｌ１を軸心として前方側に開放できるようになっている。前扉セット５の前扉体８から延出するハーネス２４３は、フック１６７により保持され貫通部１６８に挿通する。貫通部１６８を介して遊技盤取付枠３の裏側へ挿通したハーネス２４３は、遊技盤取付枠３側の発射制御基板３６（図６参照）、払出制御基板３７（図６参照）及び電源基板３８（図６参照）等に電気的に接続するとともに、中継基板及びハーネスを介して遊技盤セット４側の主制御基板４０１（図６参照）、演出制御基板４０２（図６参照）等に電気的に接続する。
【０１３９】
遊技盤取付枠３に対して前扉セット５を開いた状態では、遊技盤６のレール４２の右側に形成された溝部１８９から係止部１８５の係止を解除することで、内側透明扉７が蝶番１８３、１８４を介して内側透明扉７が回動可能になり、前記遊技盤６に対して開閉可能になる。内側透明扉７が前記遊技盤６に対して開いた状態では、遊技領域４１に滞留した遊技球や遊技領域４１内の汚れを手作業により排除可能になる。
【０１４０】
図１９の状態の遊技盤取付枠３に対して前扉セット５を閉じた場合、透明収納部６２に遊技盤セット４側の立体形状の電飾装置１０１が前扉セット５の裏側から収納され、施錠装置１６１の内枠鉤部１６２が前扉セット５の鉤受部１５を係止して、遊技盤取付枠３に対して前扉セット５が閉じた状態で施錠される。遊技盤取付枠３に対して前扉セット５が閉じた状態では、前記内側透明扉７の内側透明板１８１により遊技盤セット４のレール４２４３間を上昇する遊技球及び遊技盤セット４の遊技領域４１内を落下する遊技球９０１（図７参照）が前方に移動して脱落するのを阻止している。
このような構成及び動作を纏めて説明すると、固定枠２は、枠状に形成されている。
【０１４１】
遊技盤セット４の遊技盤６は、板状に形成された板状部として遊技板４０を有し、当該遊技板４０の一方の板面側に遊技球が移動する遊技領域４１を有する。
【０１４２】
遊技盤取付枠３は、枠状に形成され、前記固定枠２に対して開閉可能に支持され、枠形状の内側に前記遊技盤６が着脱可能になっている。
【０１４３】
前扉体８は、前記遊技盤取付枠３の前面側に開閉可能な状態で支持され、前記遊技盤取付枠３に取り付けられた遊技盤６を視認可能にする遊技盤視認用透明窓６１が設けられている。
【０１４４】
受皿ユニット９は、前記前扉体８の前記遊技盤視認用透明窓６１より下側に設けられ、上側が開放した凹形状の遊技球供給皿７１が上部に形成されている。
【０１４５】
電球型発光ダイオードランプ５０２は、前記受皿ユニット９の内部に設けられ、照明光を発光する光源になっている。
【０１４６】
リフレクタ５０３及びレンズ５０５は、前記受皿ユニット９の側面に設けられ、当該受皿ユニット９の側方に光軸Ｓ１を向けた状態で電球型発光ダイオードランプ５０２からの照明光を集め当該受皿ユニット９の外部に照射する照明光学系になっている。。
【０１４７】
前記電飾装置１０１は、立体形状の演出役物である。
前記前扉体８は、前記遊技盤視認用透明窓６１より外側の位置に透明性を有する透明収納部６２が形成され、当該透明収納部６２に前記電飾装置１０１を挿脱可能な状態で収納する。
【０１４８】
前記電飾装置１０１は、前記遊技盤６の前記遊技領域４１より上側に取付けられ、前記透明収納部６２は、前記遊技盤視認用透明窓６１より上側の位置に形成されている。
【０１４９】
前記遊技盤視認用透明窓６１及び前記透明収納部６２は、透明の素材により一体成形されている。
【０１５０】
本発明の第１の実施形態によれば、前記受皿ユニット９の側面に設けられた照明光学系のリフレクタ５０３及びレンズ５０５が、当該受皿ユニット９の側方に光軸Ｓ１を向けた状態で前記電球型発光ダイオードランプ５０２からの照明光を集め当該受皿ユニット９の外部に照射するので、遊技機１の左側方に居る遊技者から遊技機１の発する照明光を視認しやすくなり、遊技機１の左側方に居る遊技者に十分な遊技の興趣のアピールを行え、遊技機の稼働率を向上することができる。
【０１５１】
また、本発明の第１の実施形態によれば、前扉体８は、前記遊技盤視認用透明窓６１より上側の位置に透明性を有する透明収納部６２が形成され、当該透明収納部６２に前記電飾装置１０１を装飾部として挿脱可能な状態で収納するので、遊技盤の交換の際に遊技盤視認用透明部である遊技盤視認用透明窓６１の周囲を装飾する装飾部を遊技盤の機種に個別に対応して新しくすることが可能な構造を採用するとともに、装飾部の立体感を高め、装飾部に回転部や発光部等の演出装置を組み込むのを容易にして、遊技者に新台入替の目新しさを強く感じさせることができる。ここで、前記電飾装置１０１に発光部に加えて複雑な形状の飾りや可動部を設けた場合、当該電飾装置１０１の発光部は比較的小型で低輝度なものを使用することになり、当該電飾装置１０１による遊技機１から離れた遊技者へのアピール性が低くなるが、当該電飾装置１０１によるアピール性の不足は前記受皿ユニット９の電球型発光ダイオードランプ５０２、リフレクタ５０３及びレンズ５０５による照明光により十分補うことができる。
【０１５２】
以下、本発明に第２の実施形態について図面を参照しながら具体的に説明する。
（２）第２の実施形態
図１乃至図８は本発明に係る第１の実施形態を示している。
【０１５３】
図２０は、本発明に係る第１の実施形態の右斜め前方から見た遊技機１を示す斜視図である。図２０において、図１乃至図１９に示した第１の実施形態と同様の構成要素には同じ符号を付して説明を省略する。図２０に図示しない構成要素は、第１の実施形態の説明に用いた図面を代用して説明する。
【０１５４】
図２０において、遊技機７０１は、固定枠（外枠）２と、遊技盤取付枠（内枠）３（図３参照）と、遊技盤セット４（図３参照）と、前扉セット７０５とから構成されている。
【０１５５】
前扉セット７０５は、前扉体８と受皿ユニット７０９とから構成されている。受皿ユニット７０９は、左側面に演出照明部５０１が設けられるとともに、左側面の演出照明部５０１と略左右対称の構造の演出照明部８０１が右側面に設けられている。
【０１５６】
演出照明部８０１の電球型発光ダイオードランプ８０２は、前記受皿ユニット７０９の内部に設けられ、照明光を発光する光源になっている。
リフレクタ８０３及びレンズ８０５は、前記受皿ユニット７０９の右側面に設けられ、当該受皿ユニット７０９の右側方に光軸Ｓ２を向けた状態で電球型発光ダイオードランプ８０２からの照明光を集め当該受皿ユニット９の右側の外部に照射する。
【０１５７】
本発明の第２の実施形態によれば、第１の実施形態と同様り効果が得られるとともに、前記受皿ユニット７０９の右側面に設けられた照明光学系のリフレクタ８０３及びレンズ８０５が、当該受皿ユニット７０９の右側方に光軸Ｓ２を向けた状態で前記電球型発光ダイオードランプ８０２からの照明光を集め当該受皿ユニット９７０の外部に照射するので、遊技機７０１の右側方の遠い位置に居る遊技者からも光を視認しやすくなり、遊技機７０１の右側方に居る遊技者に十分な遊技の興趣のアピールを行え、遊技機の稼働率を向上することができる。
【０１５８】
尚、図２０に示した第２の実施形態では、前記受皿ユニット７０９の左右両側面に演出照明部を設けたが、前記受皿ユニット７０９の右側面のみに演出照明部を設ける構成にしてもよい。
【符号の説明】
【０１５９】
１……遊技機、２……固定枠（外枠）、３……遊技盤取付枠（内枠）、
４……遊技盤セット、５……前扉セット、６……遊技盤、
７……内側透明扉、８……前扉体、９……受皿ユニット、
１１、１２……開閉連結支持機構、１３……シリンダ錠、
２１……固定枠本体、３１……発射部、３２……スピーカ、
３３……貯留タンク、３４……上部賞球ケース、３５……払出装置、
３６……発射制御基板、３７……払出制御基板、３８……電源基板、
４０……遊技板、４１……遊技領域、４２４３……レール、
４４……センター役物、４５……画像出力装置、４６……第１始動口、
４７Ｌ、４７Ｒ……可動片、４８……第２始動口、
４９……入賞ゲート、５０ａ、５０ｂ、５０ｃ、５０ｄ……普通入賞口、
５８……大入賞口ユニット、５９……開閉扉、６０……大入賞口、
６１……遊技盤視認用透明窓、６２……透明収納部、
６４……球払出口、６５……操作ハンドル、６６……発射指示部材、
７０……ケース本体、７１……遊技球供給皿、７２……上側円弧曲面部、
７３……前面部、７４……円弧曲面部、７５……三角波形状曲面半透明部、
７６……膨出形状半透明部、放音部７７……、開孔７８……、
７９……レール状凸部、８０……球貸しボタン、８１……返却ボタン、
８２……表示部、８３……チャンスボタン、８４……十字キー、
８５……整列路、８６……遊技球供給口、８７……球抜きボタン、
８８……球皿側球排出口、８９……下面部、９０……下側球排出口、
９１、９２……演出用役物装置、１００…延出部、１０１…電飾装置、
１９１……照明装置、５０１……演出照明部、５０１……演出照明部、
５０２……電球型発光ダイオードランプ、５０３……リフレクタ、
５０４……ソケット、５０５……レンズ、５０６……レンズ枠、
５０８……凹部、５２１……口金、５３１……反射面、
５３２……反射面、５３３……貫通部、５４１……ハーネス、
５５１……前側外周、５５２……後側外周、５５３……外側面、
５５４……内側面、５６１……外周、５６２……内周、５６３……段部、
５６４……舌片、５６５……ネジ孔、５８１……貫通孔、
５８２……ネジ挿通孔、７０１……遊技機、７０５……前扉セット、
７０９……受皿ユニット、８０１……演出照明部、
８０２……電球型発光ダイオードランプ、８０３……リフレクタ、
８０５……レンズ
【図１】
2011115211.tif 000003
【図２】
2011115211.tif 000004
【図３】
2011115211.tif 000005
【図４】
2011115211.tif 000006
【図５】
2011115211.tif 000007
【図６】
2011115211.tif 000008
【図７】
2011115211.tif 000009
【図８】
2011115211.tif 000010
【図９】
2011115211.tif 000011
【図１０】
2011115211.tif 000012
【図１１】
2011115211.tif 000013
【図１２】
2011115211.tif 000014
【図１３】
2011115211.tif 000015
【図１４】
2011115211.tif 000016
【図１５】
2011115211.tif 000017
【図１６】
2011115211.tif 000018
【図１７】
2011115211.tif 000019
【図１８】
2011115211.tif 000020
【図１９】
2011115211.tif 000021
【図２０】
2011115211.tif 000022